(57)【要約】【課題】不使用時に手摺部材が邪魔にならず、手摺部材から便器への外力負荷が無く、清掃性にも優れた手摺付便器を提供する。【解決手段】手摺付便器１０は、壁体１１に固定される壁掛け便器１２と当該壁体１１との間に挟持される固定部材１３と、固定部材１３の両側からそれぞれ上方へ延設された縦支持部材１４と、縦支持部材１４を連接する水平支持部材１５と、左右の縦支持部材１４の側面にそれぞれ水平姿勢Ｐ１から起立姿勢Ｐ２の範囲内で回動可能に軸支された手摺部材１６と、を備えている。左右の手摺部材１６はそれぞれ軸受部１７を介して縦支持部材１４に回動可能に軸支され、これらの軸受部１７の位置は壁掛け便器１２の上面１２ａより高い位置に設けられている。縦支持部材１４に軸受部１７を介して回動可能に軸支された手摺部材１６は、アーム１６ｂと肘掛け１６ａとを備えている。【選択図】図１
2008000461.tif 000002
【特許請求の範囲】
【請求項１】
壁体に固定される壁掛け便器と前記壁体との間に挟持される固定部材と、前記固定部材の両側からそれぞれ上方へ延設された縦支持部材と、前記縦支持部材にそれぞれ水平姿勢から起立姿勢の範囲内で回動可能に軸支された手摺部材と、を備え、前記縦支持部材に対する前記手摺部材の軸支位置を前記壁掛け便器の上面より高い位置に設けたことを特徴とする手摺付便器。
【請求項２】
前記縦支持部材を連接する水平支持部材を設けたことを特徴とする請求項１記載の手摺付便器。
【発明の詳細な説明】
【技術分野】
【０００１】
本発明は、一般住宅や公共施設などのトイレに設置され、起倒可能な手摺りを有する壁掛け便器に関する。
【背景技術】
【０００２】
身体の不自由な人や老齢者などがトイレを使用する際の利便性、安全性を高めるため、近年、手摺りを備えた便器が提案されている（例えば、特許文献１参照。）。図８に示すように、特許文献１記載の肘掛付便器８０においては、便器８１の後部両端に設けられた平面部８１ｂに複数のネジ８７を用いて金属板８２が取り付けられ、この金属板８２の左右側面にそれぞれアーム８４が軸受部８５を介して回動可能に軸支され、それぞれのアーム８４の先端に肘掛け８３が取り付けられている。左右の肘掛け８３はアーム８４とともに軸受部８５を中心に水平姿勢Ｓ１から傾斜姿勢Ｓ２の範囲内で回動可能である。
【０００３】
【特許文献１】特開２００２−３６９７７０号公報
【発明の開示】
【発明が解決しようとする課題】
【０００４】
図８に示すように、従来の肘掛付便器８０の場合、肘掛け８３を支える円弧状のアーム８４は便器８１の後部に固定された金属板８２に軸支されているため、便器８１の使用者などによって肘掛け８３に加えられた力はアーム８４、軸受部８５および金属板８２を介して便器８１に伝わり、便器８１にとって大きな負担となっている。また、肘掛け８３に付加可能な外力の大きさは便器８１の平面部８１ｂ付近の強度に依存するので、必要な強度を確保するためには、平面部８１ｂ付近の肥大化を招きがちである。
【０００５】
また、肘掛付便器８０の場合、水平姿勢Ｓ１にある肘掛け８３を上方へ回動させれば傾斜姿勢Ｓ２で保持可能であるが、直立姿勢にすることができないため、肘掛け８３を使用しないときも、傾斜姿勢Ｓ２にある肘掛け８３やアーム８４が便器８１側へ大きく突出した状態にあり、これらの肘掛け８３やアーム８４が邪魔になることが多い。さらに、肘掛付便器８０の場合、便器８１が床面８８上に固定され、便器８１の後面と壁体８６との間には比較的狭い隙間があるため、便器８１の外面の下方部分や前記隙間部分などの清掃が困難である。
【０００６】
本発明が解決しようとする課題は、不使用時に手摺部材が邪魔にならず、手摺部材から便器への外力負荷が無く、清掃性にも優れた手摺付便器を提供することにある。
【課題を解決するための手段】
【０００７】
本発明の手摺付便器は、壁体に固定される壁掛け便器と前記壁体との間に挟持される固定部材と、前記固定部材の両側からそれぞれ上方へ延設された縦支持部材と、前記縦支持部材にそれぞれ水平姿勢から起立姿勢の範囲内で回動可能に軸支された手摺部材と、を備え、前記縦支持部材に対する前記手摺部材の軸支位置を前記壁掛け便器の上面より高い位置に設けたことを特徴とする。
【０００８】
このような構成とすれば、手摺部材は、壁掛け便器と壁体との間に挟持された固定部材よりも上方にある縦支持部材に対し、壁掛け便器の上面より高い位置において回動可能に軸支されるため、手摺部材を略直線的形状にするとともに、その長さを短縮することができる。従って、手摺部材を起立姿勢にしたとき、壁体からの突出を抑制することができるため、不使用時に手摺部材が邪魔にならない。また、手摺部材に加わる外力は固定部材を介して壁体へ伝わるため、手摺部材から便器への外力負荷を無くすことができる。従って、手摺部材に付加可能な外力の大きさは便器の強度に左右されず、強度確保のための便器の肥大化を回避することができる。さらに、壁掛け便器は床面から離れた位置に保持されるため、便器の下面部分などにも手を回して清掃可能であり、清掃性に優れている。
【０００９】
また、前記縦支持部材を連接する水平支持部材を設けることが望ましい。このような構成とすれば、便器を使用する者は、縦支持部材より上方に位置する水平支持部材を手で掴んで身体を支えることが可能となるため、使い勝手が向上する。また、固定部材よりも上方に位置する水平支持部材に背もたれなどを取り付けることが可能となるため、機能の多様化を図ることができる。
【発明の効果】
【００１０】
本発明により、使用時に手摺部材が邪魔にならず、手摺部材から便器への外力負荷が無く、清掃性にも優れた手摺付便器を提供することができる。
【発明を実施するための最良の形態】
【００１１】
以下、図面に基づいて本発明の実施の形態について説明する。図１は本発明の実施の形態である手摺付便器を示す斜視図、図２は図１に示す手摺付便器の正面図、図３は図１に示す手摺付便器の側面図、図４は図１に示す手摺付便器を壁体省略状態で示す斜視図、図５は図４に示す手摺付便器の平面図、図６は図４に示す手摺付便器の分解斜視図、図７は図６の一部拡大図である。
【００１２】
図１〜図３に示すように、本実施形態の手摺付便器１０は、壁体１１に固定される壁掛け便器１２と当該壁体１１との間に挟持される固定部材１３と、固定部材１３の両側からそれぞれ上方へ延設された縦支持部材１４と、縦支持部材１４を連接する水平支持部材１５と、左右の縦支持部材１４の側面にそれぞれ水平姿勢Ｐ１から起立姿勢Ｐ２の範囲内で回動可能に軸支された手摺部材１６と、を備えている。左右の手摺部材１６はそれぞれ軸受部１７を介して縦支持部材１４に回動可能に軸支され、これらの軸受部１７の位置は壁掛け便器１２の上面１２ａより高い位置に設けられている。
【００１３】
図４〜図７に示すように、固定部材１３は金属板で形成され、後述するボルト１９を挿通するための複数の貫通孔１３ａと、壁掛け便器１２の排水管（図示せず）を挿通するための貫通孔１３ｂとを備えている。固定部材１３の左右両側には、それぞれ壁掛け便器１２方向へ起立するように折り曲げて形成された平板状の連接部１３ｃが設けられ、これらの連接部１３ｃの外側面にそれぞれ縦支持部材１４の下端部が固着されている。縦支持部材１４および水平支持部材１５は金属管をコ字状に折り曲げることによって一体的に形成されている。
【００１４】
左右の縦支持部材１４にそれぞれ軸受部１７を介して回動可能に軸支された手摺部材１６は、金属管で形成されたアーム１６ｂと、アーム１６ｂの先端寄り部分に取り付けられた肘掛け１６ａとを備え、アーム１６ｂの基端が軸受部１７に固定されている。左右の肘掛け１６ａは、手摺部材１６が水平姿勢Ｐ１にあるときアーム１６ｂの直上に位置するように取り付けられている。左右の縦支持部材１４を連接する水平支持部材１５の中央部分には背もたれ１８が着脱可能に取り付けられている。本実施形態では、図７に示すように、固定部材１３、縦支持部材１４、水平支持部材１５および手摺部材１６は一体化した手摺ユニット２０を構成しているが、これに限定するものではない。
【００１５】
一方、本実施形態の手摺付便器１０は、図３，図６に示すように、壁体１１の裏側に配置された横断面がコ字状の取付部材２１に対し、壁体１１の表側から複数のボルト１９を螺着することによって壁体１１に固定されている。金属板を折り曲げて形成された取付部材２１は床材２２に起立姿勢で固定され、壁体１１と平行をなす起立部２１ｃには、ボルト１９を螺着するための複数のネジ孔２１ａと、壁掛け便器１２の排水管（図示せず）を挿通するための貫通孔２１ｂとが開設されている。これらのネジ孔２１ａおよび貫通孔２１ｂはそれぞれ固定部材１３の貫通孔１３ａ，１３ｂと同位相をなすように開設されている。
【００１６】
従って、壁掛け便器１２の後面に形成された取付部１２ｂに設けられた複数の貫通孔１２ｃにそれぞれボルト１９を差し込み、それぞれのボルト１９の先端側を、固定部材１３の貫通孔１３ａ、壁体１１に開設された貫通孔（図示せず）に挿通させ、取付部材２１のネジ孔２１ａに螺着させれば、手摺付便器１０を壁体１１に固定することができる。
【００１７】
手摺付便器１０においては、手摺部材１６は、壁掛け便器１２と壁体１１との間に挟持された固定部材１３よりも上方にある縦支持部材１４に対し、壁掛け便器１２の上面１２ａより高い位置にある軸受部１７に回動可能に軸支されている。このため、手摺部材１６を略直線的形状にするとともに、その長さを短縮することができる。従って、図３に示すように、使用時は水平姿勢Ｐ１にある手摺部材１６を起立姿勢Ｐ２にすれば、壁体１１からの突出を抑制することができるため、不使用時に手摺部材１６が邪魔にならない。
【００１８】
また、壁掛け便器１２の使用者などによって手摺部材１６に加えられた外力は軸受部１７および縦支持部材１４から固定部材１３を経由して壁体１１へ伝わるため、手摺部材１６から壁掛け便器１２への外力負荷を無くすことができる。従って、手摺部材１６に付加可能な外力の大きさは壁掛け便器１２の強度に依存することがなくなり、強度確保のための便器の肥大化を回避することができる。さらに、壁掛け便器１２は床面２２ａから離れた位置に保持されるため、壁掛け便器１２の下面部１２ｄ（図２，図３参照）などにも手を回して清掃することが可能であり、清掃性に優れている。
【００１９】
また、手摺付便器１０においては、縦支持部材１４の上端を連接する水平支持部材１５が設けられているため、壁掛け便器１２を使用する者は、縦支持部材１４や手摺部材１６より上方に位置する水平支持部材１５を手で掴んで身体を支えることができ、使い勝手が良好である。また、固定部材１３よりも上方に位置する水平支持部材１５に背もたれ１８が取り付けられているため、壁掛け便器１２の使用者の身体を背もたれ１８で安定保持することができる。
【００２０】
さらに、図７で示したように、固定部材１３、縦支持部材１４、水平支持部材１５および手摺部材１６は手摺ユニット２０として一体化されているため、施工の際には、壁掛け便器１２の後面と壁体１１との間に手摺ユニット２０を挟持して、壁掛け便器１２の取付部１２ｂの貫通孔１２ｃにそれぞれボルト１９を差し込んで締め付けるだけで手摺付便器１０を設置することができる。このため施工性も良好である。
【産業上の利用可能性】
【００２１】
本発明の手摺付便器は、一般住宅や公共施設などのトイレに設置して広く利用することができる。
【図面の簡単な説明】
【００２２】
【図１】本発明の実施の形態である手摺付便器を示す斜視図である。
【図２】図１に示す手摺付便器の正面図である。
【図３】図１に示す手摺付便器の側面図である。
【図４】図１に示す手摺付便器を壁体省略状態で示す斜視図である。
【図５】図４に示す手摺付便器の平面図である。
【図６】図４に示す手摺付便器の分解斜視図である。
【図７】図６の一部拡大図である。
【図８】従来の肘掛付便器を示す側面図である。
【符号の説明】
【００２３】
１０  手摺付便器
１１  壁体
１２  壁掛け便器
１２ａ  上面
１２ｂ  取付部
１２ｃ，１３ａ，１３ｂ，２１ｂ  貫通孔
１２ｄ  下面部
１３  固定部材
１３ｃ  連接部
１４  縦支持部材
１５  水平支持部材
１６  手摺部材
１６ａ  肘掛け
１６ｂ  アーム
１７  軸受部
１８  背もたれ
１９  ボルト
２０  手摺ユニット
２１  取付部材
２１ａ  ネジ孔
２１ｃ  起立部
２２  床材
２２ａ  床面
Ｐ１  水平姿勢
Ｐ２  起立姿勢
【図１】
2008000461.tif 000003
【図２】
2008000461.tif 000004
【図３】
2008000461.tif 000005
【図４】
2008000461.tif 000006
【図５】
2008000461.tif 000007
【図６】
2008000461.tif 000008
【図７】
2008000461.tif 000009
【図８】
2008000461.tif 000010